(57)【特許請求の範囲】
【請求項１】
記録する為のデータを外部から受信するデータ受信部と、装置全体の動作制御を行う制御回路と、装置の動作状況を外部に通知するモニタと、前記制御回路から伝送された受信データを記録媒体に記録するデータ記録部を備えるデータ記録装置であって、
前記データ記録部は、
受信データを記録する為の記録媒体を装置にセットする為のマガジンと、
前記受信データを記録する際に前記記録媒体を吸入セットするドラムと、
前記記録媒体を前記ドラム内に搬送吸入する為の吸入ローラと、
前記吸入ローラを回転させる為の吸入モータと、
前記記録媒体が前記ドラムに搬送吸入される際、最初に前記記録媒体の先端を検出する始端検出スイッチと、
吸入動作後、受信データの記録開始位置を特定する為に前記記録媒体の先端を検出する先端検出センサと、
前記記録媒体に前記受信データをレーザ光にて記録する光学系と、
前記受信データ記録後に前記記録媒体を外部に搬送排出する際、前記記録媒体を搬送する排出ローラと、
前記排出ローラを回転させる為の排出モータと、
前記記録媒体の排出後に前記記録媒体をカットするカッタと、
前記吸入モータ及び前記排出モータに回転パルス信号を供給するモータドライバ回路と、
受信データ記録時に前記光学系を移動させる為の副走査モータと、
前記光学系の移動を支持するシャフトと、
前記記録媒体の前記ドラムへの搬送吸入過程にて、前記記録媒体の先端を検出する第１及び第２の先端検出スイッチと、
前記第１及び第２の先端検出スイッチからの前記記録媒体の先端検出信号を元に、前記始端検出スイッチの位置から前記第１の先端検出スイッチの位置まで前記記録媒体が搬送させるのに要した前記吸入モータの回転パルス量と、前記第１の先端検出スイッチの位置から前記第２の先端検出スイッチの位置まで前記記録媒体を搬送させるのに要した前記吸入モータの回転パルス量とを算出する積算回路と、
前記積算回路にて算出したパルス量データを蓄積する搬送量データ蓄積部と、
前記積算回路にて算出したパルス量データが装置のパルス量の規格範囲にあるかどうかを判断する判断回路と
を備えることを特徴とする搬送動作異常の外部通報機能を有する感光記録媒体を用いたデータ記録装置。
【請求項２】
記録する為のデータを外部から受信するデータ受信部と、装置全体の動作制御を行う制御回路と、装置の動作状況を外部に通知するモニタと、前記制御回路から伝送された受信データを記録媒体に記録するデータ記録部を備えるデータ記録装置であって、
前記データ記録部は、
受信データを記録する為の記録媒体を装置にセットする為のマガジンと、
前記受信データを記録する際に前記記録媒体を吸入セットするドラムと、
前記記録媒体を前記ドラム内に搬送吸入する為の吸入ローラと、
前記吸入ローラを回転させる為の吸入モータと、
前記記録媒体が前記ドラムに搬送吸入される際、最初に前記記録媒体の先端を検出する始端検出スイッチと、
吸入動作後、受信データの記録開始位置を特定する為に前記記録媒体の先端を検出する先端検出センサと、
前記記録媒体に前記受信データをレーザ光にて記録する光学系と、
前記受信データ記録後に前記記録媒体を外部に搬送排出する際、前記記録媒体を搬送する排出ローラと、
前記排出ローラを回転させる為の排出モータと、
前記記録媒体の排出後に前記記録媒体をカットするカッタと、
前記吸入モータ及び前記排出モータに回転パルス信号を供給するモータドライバ回路と、
受信データ記録時に前記光学系を移動させる為の副走査モータと、
前記光学系の移動を支持するシャフトと
を備え、さらに、
前記ドラム内に設置した溝と、その溝内を移動するローラと、そのローラに連結されているコマとにより、前記記録媒体が前記吸入モータ及び前記吸入ローラの回転により前記マガジンから前記ドラム内に搬送される際、前記記録媒体の先端が前記コマに当たり、前記コマが前記記録媒体の先端に押されて一緒に移動し、前記コマが移動する際、前記コマに連結されている前記ローラの回転量から前記記録媒体の先端の位置を検出し、前記始端検出スイッチの位置から前記記録媒体の位置までの前記吸入モータの回転パルス量を算出する積算回路と、
前記積算回路にて算出したパルス量データを蓄積する搬送量データ蓄積部と、
前記積算回路にて算出したパルス量データが装置のパルス量の規格範囲にあるかどうかを判断する判断回路と
を備えることを特徴とする搬送動作異常の外部通報機能を有する感光記録媒体を用いたデータ記録装置。
【発明の詳細な説明】
【０００１】
【発明の属する技術分野】
本発明は搬送動作異常の外部通報機能を有する感光記録媒体を用いたデータ記録装置に関し、特に搬送量ばらつきの原因を記録品質が低下する前段階に外部に通報すると共に、多少の搬送量のばらつきがあった場合でも記録媒体の先端検出を可能とし、記録媒体の先端検出不可アラームの発生頻度を軽減する搬送動作異常の外部通報機能を有する感光記録媒体を用いたデータ記録装置に関する。
【０００２】
【従来の技術】
従来、この種の感光記録媒体を用いたデータ記録装置は、図５に示すように受信イメージデータを記録する際、まず制御回路２からモータドライバ回路２０に対して吸入モータ２１の回転指示信号を転送する。この信号を受けて、モータドライバ回路２０は吸入モータ２１に回転パルス信号を転送する。これにより、吸入モータ２１が回転し、吸入モータ２１に連結している吸入ローラ２２も回転する。
【０００３】
吸入ローラ２２が回転することにより、感光フィルム１９がマガジン２４からドラム１７面上に搬送される。このとき、吸入ローラ２２の回転による感光フィルム１９の搬送量は吸入ローラ２２の回転時間という要素で決められている。ある一定時間の間、吸入ローラ２２を回転させ、感光フィルム１９を搬送する。つまり、吸入ローラ２２の摩耗やドラム１７面上へのゴミや異物の付着により感光フィルム１９の搬送量ばらつきがあった場合、その先端が本来の停止位置とは別の位置で停止することになる。装置の搬送動作に異常がない場合には、感光フィルム１９の先端は図５に示す先端検出センサ２７の位置から規定距離だけ排出ローラ２６側に進んだ位置で停止する。
【０００４】
次に、受信イメージデータの記録動作に入り、まず、吸入ローラ２２を吸入方向とは逆方向に回転させて感光フィルム１９の先端を一定時間の回転量だけ後退させる。この時、感光フィルム１９の先端は図５に示す先端検出センサ２７の位置よりも一定量だけ始端検出スイッチ２３側に後退した位置で停止する。その後、吸入ローラ２２を低速で一定時間分だけ回転させ、感光フィルム１９を前進させる。従来技術では本一定時間内の感光フィルム１９の前進過程の中で、先端検出センサ２７により、その先端を検出する。
【０００５】
この場合、先に述べたように吸入ローラ２２の摩耗やドラム１７面上のゴミや異物により感光フィルム１９の最初の搬送量がばらついた場合、一度、感光フィルム１９を後退させてから前進させる過程で、その先端を先端検出センサ２７で検出できない場合が発生する。感光フィルム１９の先端が検出できない場合は、先端検出不可の旨の外部通報を行い、それ以降のデータ記録動作は停止する。
【０００６】
以上のように、従来技術では感光フィルム１９の搬送を吸入ローラ２１を一定時間だけ回転させることで行っている為に搬送量のばらつきにより、感光フィルム１９の先端検出補正ができない。
【０００７】
また、プリンタにおける搬送異常検知方式として、実開平０７−０２４８５２号公報には帳票用紙における搬送用紙の紙詰まりを含むすべての種類の搬送状態異常を検知する方式が記載されている。実開平０７−０２４８５２号公報に記載されている用紙搬送異常検知方式は、搬送路上にフォトセンサの発光部と受光部とを設け、帳票用紙上のスプロケットホール内に発光する。用紙の搬送過程において、一定間隔でスプロケットホールを認識すれば搬送動作に異常はないと判断し、一定間隔でスプロケットホールが認識されない場合は、紙詰まり等の異常が発生したと判断するものである。
【０００８】
【発明が解決しようとする課題】
しかし、上記実開平０７−０２４８５２号公報に記載の技術では次の問題点がある。
【０００９】
第１の問題点は、使用する用紙が帳票用紙に限定されることである。その理由は、搬送異常を検知する手段として用紙上のスプロケットホールを認識しなければならない為である。
【００１０】
第２の問題点は、搬送異常の原因特定ができないことである。その理由は、一定間隔でスプロケットホールの存在を認識するだけでは、搬送動作が正常か異常かは判断できるが、異常時の原因特定ができない為である。用紙搬送の速度変化、搬送路上のゴミや異物の付着及び搬送ローラの摩耗等といった種々の予測原因の中から１つの根本原因を特定することはできない。
【００１１】
本発明の目的は、搬送量ばらつきの原因を記録品質が低下する前段階に外部に通報すると共に、多少の搬送量のばらつきがあった場合でも記録媒体の先端検出を可能とし、記録媒体の先端検出不可アラームの発生頻度を軽減する搬送動作異常の外部通報機能を有する感光記録媒体を用いたデータ記録装置を提供することにある。
【００１３】
【課題を解決するための手段】
本発明の搬送動作異常の外部通報機能を有する感光記録媒体を用いたデータ記録装置は、受信イメージデータ記録動作時の記録媒体搬送過程において、第１及び第２の先端検出スイッチによる前記記録媒体の先端検出状況から、実際に要した吸入モータの回転パルス量を算出し、この算出値データから吸入ローラの摩耗及び前記記録媒体を吸入セットするドラム面上のゴミ、異物付着状況の外部通報を行う外部通報機能を備える。
【００１４】
さらに、本発明の搬送動作異常の外部通報機能を有する感光記録媒体を用いたデータ記録装置は、記録する為のデータを外部から受信するデータ受信部と、装置全体の動作制御を行う制御回路と、装置の動作状況を外部に通知するモニタと、前記制御回路から伝送された受信データを記録媒体に記録するデータ記録部を備えるデータ記録装置であって、前記データ記録部は、受信データを記録する為の記録媒体を装置にセットする為のマガジンと、前記受信データを記録する際に前記記録媒体を吸入セットするドラムと、前記記録媒体を前記ドラム内に搬送吸入する為の吸入ローラと、この吸入ローラを回転させる為の吸入モータと、前記記録媒体が前記ドラムに搬送吸入される際、最初に前記記録媒体の先端を検出する始端検出スイッチと、吸入動作後、受信データの記録開始位置を特定する為に前記記録媒体の先端を検出する先端検出センサと、前記記録媒体に前記受信データをレーザ光にて記録する光学系と、前記受信データ記録後に前記記録媒体を外部に搬送排出する際、前記記録媒体を搬送する排出ローラと、この排出ローラを回転させる為の排出モータと、前記記録媒体の排出後に前記記録媒体をカットするカッタと、前記吸入モータ及び前記排出モータに回転パルス信号を供給するモータドライバ回路と、受信データ記録時に前記光学系を移動させる為の副走査モータと、前記光学系の移動を支持するシャフトと、前記記録媒体の前記ドラムへの搬送吸入過程にて、前記記録媒体の先端を検出する第１及び第２の先端検出スイッチと、前記第１及び第２の先端検出スイッチからの前記記録媒体の先端検出信号を元に、前記始端検出スイッチの位置から前記第１の先端検出スイッチの位置まで前記記録媒体が搬送させるのに要した前記吸入モータの回転パルス量と、前記第１の先端検出スイッチの位置から前記第２の先端検出スイッチの位置まで前記記録媒体を搬送させるのに要した前記吸入モータの回転パルス量とを算出する積算回路と、この積算回路にて算出したパルス量データを蓄積する搬送量データ蓄積部と、前記積算回路にて算出したパルス量データが装置のパルス量の規格範囲にあるかどうかを判断する判断回路とを備える。
【００１５】
さらに、本発明の搬送動作異常の外部通報機能を有する感光記録媒体を用いたデータ記録装置は、記録する為のデータを外部から受信するデータ受信部と、装置全体の動作制御を行う制御回路と、装置の動作状況を外部に通知するモニタと、前記制御回路から伝送された受信データを記録媒体に記録するデータ記録部を備えるデータ記録装置であって、前記データ記録部は、受信データを記録する為の記録媒体を装置にセットする為のマガジンと、前記受信データを記録する際に前記記録媒体を吸入セットするドラムと、前記記録媒体を前記ドラム内に搬送吸入する為の吸入ローラと、この吸入ローラを回転させる為の吸入モータと、前記記録媒体が前記ドラムに搬送吸入される際、最初に前記記録媒体の先端を検出する始端検出スイッチと、吸入動作後、受信データの記録開始位置を特定する為に前記記録媒体の先端を検出する先端検出センサと、前記記録媒体に前記受信データをレーザ光にて記録する光学系と、前記受信データ記録後に前記記録媒体を外部に搬送排出する際、前記記録媒体を搬送する排出ローラと、この排出ローラを回転させる為の排出モータと、前記記録媒体の排出後に前記記録媒体をカットするカッタと、前記吸入モータ及び前記排出モータに回転パルス信号を供給するモータドライバ回路と、受信データ記録時に前記光学系を移動させる為の副走査モータと、前記光学系の移動を支持するシャフトとを備え、さらに、前記ドラム内に設置した溝と、その溝内を移動するローラと、そのローラに連結されているコマとにより、前記記録媒体が前記吸入モータ及び前記吸入ローラの回転により前記マガジンから前記ドラム内に搬送される際、前記記録媒体の先端が前記コマに当たり、前記コマが前記記録媒体の先端に押されて一緒に移動し、前記コマが移動する際、前記コマに連結されている前記ローラの回転量から前記記録媒体の先端の位置を検出し、前記始端検出スイッチの位置から前記記録媒体の位置までの前記吸入モータの回転パルス量を算出する積算回路と、この積算回路にて算出したパルス量データを蓄積する搬送量データ蓄積部と、前記積算回路にて算出したパルス量データが装置のパルス量の規格範囲にあるかどうかを判断する判断回路とを備える。
【００１６】
さらに、本発明の搬送動作異常の外部通報機能を有する感光記録媒体を用いたデータ記録装置は、前記光学系は、光線を発射する光源と、この光源から発射された前記光線を集光する集光レンズと、この集光レンズを通過した前記光線を９０゜偏向する第１の偏向ミラーと、この第１の偏向ミラーからの前記光線を更に９０゜偏向する第２の偏向ミラーと、走査方向に前記光線を照射させる為の回転プリズムと、この回転プリズムを回転させる為の主走査モータと、前記光源の発射制御や前記主走査モータの回転制御を行う光学系制御回路とを備える。
【００１７】
【発明の実施の形態】
次に、本発明の実施の形態について図面を参照して詳細に説明する。
【００１８】
本発明は、半導体レーザ等を光源として記録媒体である感光フィルムを感光させてデータ記録を行う装置において、感光フィルムの吸入動作の際の吸入ローラの摩耗状態と搬送路状態の外部通報を行うものである。
【００１９】
本装置は図２に示すように、記録媒体である感光フィルム１９がドラム１７内にセットされ、光学系８が図の右端（待機位置）から左方向に移動する間に、光学系８から照射されるレーザ光により受信データが感光フィルム１９上に記録される。
【００２０】
図３は図２を左から見た図であり、本装置は上位装置からドットデータを受信する際、感光フィルム１９を記録位置まで搬送させる為に、規定量のパルス量だけ吸入モータ２１を吸入方向に回転させる。また、吸入モータ２１に連結している吸入ローラ２２もこれに合わせて回転する。
【００２１】
感光フィルム１９がドラム１７面上を搬送される際、始端検出スイッチ２３にて感光フィルム１９の先端を検出してから第１の先端検出スイッチ２９が感光フィルム１９の先端を検出するまでに要した時間データを制御回路２で算出し、この時間データを積算回路５にてパルス量に変換算出する。このパルス量は搬送量データ蓄積部６に蓄積される。その後、第２の先端検出スイッチ３０にて感光フィルム１９の先端を検出した時点で、感光フィルム１９が第１の先端検出スイッチ２９の位置から第２の先端検出スイッチ３０の位置まで搬送されるのに要した吸入モータ２１のパルス量を積算回路５にて算出し搬送量データ蓄積部６に蓄積する。
【００２２】
感光フィルム１９の先端を第２の先端検出スイッチ３０にて検出した時点で、吸入モータ２１の回転速度を遅くし、先端検出センサ２７にて感光フィルム１９の先端を検出するまで感光フィルム１９を搬送させる。
【００２３】
先端検出センサ２７にて感光フィルム１９の先端を検出した時点で、吸入モータ２１の回転を停止し、先に説明した動作原理により受信データを感光フィルム１９に記録する。
【００２４】
受信データの記録完了後、吸入モータ２１及び排出モータ２５を回転させることにより感光フィルム１９を排出し、規定量のパルス数分だけ搬送した時点でカッタ２８により感光フィルム１９をカットし外部に排出する。
【００２５】
本発明は、上記の受信イメージデータの記録動作時の記録媒体の搬送過程において、第１、第２の先端検出スイッチ２９、３０による感光フィルム１９の先端検出状況から、実際に要した吸入モータ２１の回転パルス量を算出し、この算出値データから吸入ローラ２２の摩耗及びドラム１７面上のゴミ、異物付着状況の外部通報を行うものである。
【００２６】
本発明の一実施の形態をブロックで示す図１を参照すると、この実施の形態のレーザ光を光源として受信データを記録媒体である感光フィルムに記録する感光記録媒体を用いたデータ記録装置は、記録する為のデータを外部から受信するデータ受信部１と、装置全体の動作制御を行う制御回路２と、装置の動作状況を外部に通知するモニタ４と、制御回路２から伝送された受信データを記録媒体に記録するデータ記録部３と、本発明である、記録媒体を装置内部の規定位置まで搬送させるのに要した吸入モータのパルス量を算出する積算回路５と、積算回路５で算出したパルス量データを蓄積する搬送量データ蓄積部６と、この搬送量データ蓄積部６のパルスデータと規定位置まで感光フィルムを搬送させる為のパルス量の装置規格を比較しデータ記録部３における搬送動作に異常がないかを判断する判断回路７とから構成される。
【００２７】
データ記録部３は図３に示すように、受信データを記録する為の記録媒体である感光フィルム１９と、感光フィルム１９を装置にセットする為のマガジン２４と、受信データを記録する際に感光フィルム１９を吸入セットするドラム１７と、感光フィルム１９をドラム１７内に搬送吸入する為の吸入ローラ２２と、吸入ローラ２２を回転させる為の吸入モータ２１と、感光フィルム１９がドラム１７に搬送吸入される際、最初に感光フィルム１９の先端を検出する始端検出スイッチ２３と、吸入動作後、受信データの記録開始位置を特定する為に感光フィルム１９の先端を検出する先端検出センサ２７と、感光フィルム１９に受信データをレーザ光にて記録する光学系８と、受信データ記録後に感光フィルム１９を外部に搬送排出する際、感光フィルム１９を搬送する排出ローラ２６と、排出ローラ２６を回転させる為の排出モータ２５と、感光フィルム１９の排出後に感光フィルム１９をカットするカッタ２８と、吸入モータ２１及び排出モータ２５に回転パルス信号を供給するモータドライバ回路２０と、装置全体の動作制御を行う制御回路２と、装置の動作状況を外部に通知するモニタ４と、図２に示すように受信データ記録時に光学系８を移動させる為の副走査モータ１６と、光学系８の移動を支持するシャフト１８と、本発明である、感光フィルム１９のドラム１７への搬送吸入過程にて、感光フィルム１９の先端を検出する第１及び第２の先端検出スイッチ２９、３０と、第１及び第２の先端検出スイッチ２９、３０からの感光フィルム１９の先端検出信号を元に、始端検出スイッチ２３の位置から第１の先端検出スイッチ２９の位置まで感光フィルム１９が搬送させるのに要した吸入モータ２１の回転パルス量と第１の先端検出スイッチ２９の位置から第２の先端検出スイッチ３０の位置まで感光フィルム１９を搬送させるのに要した吸入モータ２１の回転パルス量とを算出する積算回路５と、積算回路５にて算出したパルス量データを蓄積する搬送量データ蓄積部６と、積算回路５にて算出したパルス量データが装置のパルス量の規格範囲にあるかどうかを判断する判断回路７とから構成される。
【００２８】
図２は図３を右側面から見た図であり、図２に示すように光学系８はレーザ光を発射するＬＤ光源９と、ＬＤ光源９から発射されたレーザ光を集光する集光レンズ１０と、集光レンズ１０を通過したレーザ光を９０゜偏向する第１の偏向ミラー１１と、第１の偏向ミラー１１からのレーザ光を更に９０゜偏向する第２の偏向ミラー１２と、図３に示す走査方向にレーザ光を照射させる為の回転プリズム１３と、回転プリズム１３を回転させる為の主走査モータ１４と、ＬＤ光源９のレーザ発射制御や主走査モータ１４の回転制御を行う光学系制御回路１５とから構成される。
【００２９】
次に、図１、２、３を参照して、この実施の形態の動作を説明する。
【００３０】
まず、外部から送信されてきたドットパターンのイメージデータをデータ受信部１にて受信する。データ受信部１にて受信したイメージデータはアナログデータからデジタルデータに変換され、制御回路２に転送される。
【００３１】
制御回路２へのイメージデータの蓄積後、感光フィルム１９をマガジン２４からドラム１７内に搬送吸入させる為、制御回路２からモータドライバ回路２０に吸入モータ２１の回転指示信号が転送される。この信号を受けてモータドライバ回路２０から吸入モータ２１にパルス信号が転送され、吸入モータ２１が回転する。吸入モータ２１の回転により、吸入モータ２１に連結されている吸入ローラ２２が回転し、感光フィルム１９がマガジン２４からドラム１７内部に搬送される。
【００３２】
感光フィルム１９は吸入ローラ２２を通過し、始端検出スイッチ２３でその先端が検出される。始端検出スイッチ２３は感光フィルム１９の先端を検出した時点で、その検出信号を制御回路２に転送する。
【００３３】
感光フィルム１９は吸入モータ２１の回転により更にドラム１７上を搬送され、次に第１の先端検出スイッチ２９にてその先端が検出される。第１の先端検出スイッチ２９は感光フィルム１９の先端を検出した時点で、その検出信号を制御回路２に転送する。
【００３４】
制御回路２は、始端検出スイッチ２３が感光フィルム１９の先端を検出してから第１の先端検出スイッチ２９が感光フィルム１９の先端を検出するまでに要した時間を算出する。制御回路２にて算出された時間データは積算回路５に転送される。
【００３５】
積算回路５は、この時間データから、吸入モータ２１が始端検出スイッチ２３の位置から第１の先端検出スイッチ２９の位置まで感光フィルム１９を搬送させるのに要した回転パルス量を算出する。積算回路５にて算出されたパルス量データは判断回路７に転送されると共に搬送量データ蓄積部６に蓄積される。
【００３６】
判断回路７は、始端検出スイッチ２３が感光フィルム１９の先端を検出してから第１の先端検出スイッチ２９が感光フィルム１９の先端を検出するまでに要する吸入モータ２１の回転パルス量の規格範囲に先に積算回路５にて算出されたパルス量データが入っているかを判断する。
【００３７】
尚、本判断対象となるパルス量の規格値は制御回路２内に保持されており、判断回路７におけるパルス量の判断検出は積算回路５にて算出された値が制御回路２内にある規格値よりも大きい場合に行う。
【００３８】
実際に要したパルス量が規格範囲に入っている場合は、始端検出スイッチ２３の位置から第１の先端検出スイッチ２９の位置までの感光フィルム１９の搬送動作に異常がないことを表す。
【００３９】
しかし、実際に要したパルス量が規格範囲から外れている場合は、始端検出スイッチ２３の位置から第１の先端検出スイッチ２９の位置まで感光フィルム１９を搬送させるのに吸入ローラ２２を規格よりも余計に回転させなければならなかったことが判る。つまりは、吸入ローラ２２による感光フィルム１９の搬送動作に異常があったことを表す。
【００４０】
始端検出スイッチ２３の位置から第１の先端検出スイッチ２９の位置までの感光フィルム１９の搬送動作において、吸入モータ２１の必要パルス量が規格値よりも多い原因として吸入ローラ２２の摩耗がある。
【００４１】
始端検出スイッチ２３の位置から第１の先端検出スイッチ２９の位置まではドラム１７の形状が地面に対して垂直方向に湾曲していることから、本スイッチ間のドラム１７表面に付着したゴミや異物はドラム１７の最下点に移動して貯まる為、始端検出スイッチ２３から第１の先端検出スイッチ２９間にゴミや異物のドラム１７表面への付着により感光フィルム１９の搬送不良が発生することはない。
【００４２】
上述のことから、始端検出スイッチ２３の位置から第１の先端検出スイッチ２９の位置の間での感光フィルム１９の搬送動作にて搬送不良が発生する要因は吸入ローラ２２の摩耗によりローラ表面で感光フィルム１９が滑る為であると言える。判断回路７にてパルス量の実際の算出値が規格範囲内に入っていないと判断した場合には、吸入ローラ２２が摩耗している旨を判断回路７から制御回路２に通知する。制御回路２は、判断回路７からの異常通知信号を受けて、モニタ４に吸入ローラ２２の摩耗異常を外部に通報する信号を送信する。モニタ４は、制御回路２からの信号を受けて、外部に吸入ローラ２２の摩耗異常の通報を行う。
【００４３】
以上、記述した内容において、図３に示す始端検出スイッチ２３の位置から第１の先端検出スイッチ２９までの感光フィルム１９の搬送動作において要した吸入ローラ２２の搬送パルス量を積算回路５にて算出し、判断回路７にてこの算出値が規格範囲にないと判断した場合に吸入ローラ２２の摩耗異常を外部に通報する機能が本発明の第１の実施の形態である。
【００４４】
第１の先端検出スイッチ２９の位置までの感光フィルム１９の搬送に異常がない場合は、下記以降のデータ記録動作を行う。
【００４５】
感光フィルム１９は、第１の先端検出スイッチ２９の位置から更にドラム１７面上を搬送され、第２の先端検出スイッチ３０にてその先端が検出される。第２の先端検出スイッチ３０は感光フィルム１９の先端を検出した時点で、その検出信号を制御回路２に転送する。
【００４６】
制御回路２は、第１の始端検出スイッチ２９が感光フィルム１９の先端を検出してから第２の先端検出スイッチ３０が感光フィルム１９の先端を検出するまでに要した時間を算出する。制御回路２にて算出された時間データは積算回路５に転送される。積算回路５は、この時間データから、吸入モータ２１が第１の先端検出スイッチ２９の位置から第２の先端検出スイッチ３０の位置まで感光フィルム１９を搬送させるのに要した回転パルス量を算出する。
【００４７】
積算回路５にて算出されたパルス量データは判断回路７に転送されると共に搬送量データ蓄積部６に蓄積される。
【００４８】
判断回路７は、第１の先端検出スイッチ２９が感光フィルム１９の先端を検出してから第２の先端検出スイッチ３０が感光フィルム１９の先端を検出するまでに要する吸入モータ２１の回転パルス量の規格範囲に先に積算回路５にて算出されたパルス量データが入っているかを判断する。尚、判断回路７におけるパルス量の判断検出は、積算回路５にて算出された値が制御回路２内にある規格値よりも大きい場合に行う。
【００４９】
判断回路７にて判断した結果、パルス量の実際の算出値が規格範囲に入っている場合は第１の先端検出スイッチ２９の位置から第２の先端検出スイッチ３０の位置までの感光フィルム１９の搬送動作に異常が無いことを表す。
【００５０】
しかし、実際に要したパルス量が規格範囲から外れている場合は、第１の先端検出スイッチ２９の位置から第２の先端検出スイッチ３０の位置まで感光フィルム１９を搬送させるのに吸入ローラ２２を規格よりも余計に回転させなければならなかったことが判る。つまりは、第１の先端検出スイッチ２９の位置から第２の先端検出スイッチ３０の位置までの感光フィルム１９の搬送過程において異常が発生したことを表す。
【００５１】
第１の先端検出スイッチ２９の位置から第２の先端検出スイッチ３０の位置までの感光フィルム１９の搬送動作において、吸入モータ２１が要した回転パルス量が規格値よりも多くなる原因として、ドラム１７表面へのゴミや異物の付着がある。
【００５２】
ドラム１７は図３に示す通り半円状に湾曲しており、第１の先端検出スイッチ２９の位置と第２の先端検出スイッチ３０の位置の中心の位置が垂直方向で最下点になる。このドラム１７の形状により、空気中に浮遊しているゴミや異物が最下点周辺に蓄積される。このゴミや異物が、感光フィルム１９がドラム１７の表面を搬送される際に障害物となり、搬送不良を引き起こす原因となる。
【００５３】
判断回路７にて先に比較したパルス量の規格値と実際の算出値に違いがある場合には、ドラム１７表面上のゴミや異物付着がある旨を判断回路７から制御回路２に通知する。
【００５４】
制御回路２は、判断回路７からの異常通知信号を受けて、モニタ４にドラム表面上にゴミや異物が付着していることを外部に通報する信号を送信する。モニタ４は、制御回路２からの信号を受けて、外部にドラム１７表面上にゴミや異物が付着している旨の外部通報を行う。
【００５５】
以上、記述した内容において、図３に示す第１の先端検出スイッチ２９の位置から第２の先端検出スイッチ３０まで感光フィルム１９を搬送させるのに吸入ローラ２１が要した回転パルス量を積算回路５にて算出し、判断回路７にてこの算出値が規格範囲にないと判断した場合に、ドラム１７表面上のゴミや異物付着を外部に通報する機能が本発明の第２の実施の形態である。
【００５６】
第２の先端検出スイッチ３０の位置までの感光フィルム１９の搬送動作に異常がない場合は、下記のデータ記録動作を行う。
【００５７】
感光フィルム１９は、第２の先端検出スイッチ３０の位置から更にドラム１７面上を搬送されるが、その際、吸入モータ２１はそれまでの回転速度よりも低速にて回転する。感光フィルム１９は吸入モータ２１の低速回転により搬送され、その先端が先端検出センサ２７にて検出される。
【００５８】
先端検出センサ２７が感光フィルム１９の先端を検出した際、その検出信号を制御回路２が受け取り、吸入ローラ２１の回転を停止させる為の信号をモータドライバ回路２０に送信する。
【００５９】
モータドライバ回路２０は、制御回路２からの信号により吸入モータ２１への回転パルス供給を停止する。これにより、吸入モータ２１の回転が停止する。
【００６０】
次に、制御回路２から図２に示す光学系８における光学系制御回路１５に主走査モータ１４の回転指示信号が送信される。制御回路２からの回転指示信号を受けて、光学系制御回路１５は主走査モータ１４に回転パルス信号を送信し、これにより主走査モータ１４が一定速度で回転する。主走査モータ１４が回転することにより、この主走査モータ１４に連結されている回転プリズム１３も主走査モータ１４と同速度で回転する。
【００６１】
次に光学系制御回路１５からの信号によりＬＤ光源９からレーザ光を発射する。ＬＤ光源９から発射されたレーザ光は拡散光であり、図２に示す集光レンズ１０により集光される。集光レンズ１０により集光されたレーザ光は、第１の偏向ミラー１１により９０°偏向される。第１の偏向ミラー１１により９０°偏向されたレーザ光は、第２の偏向ミラー１２により更に９０°偏向される。第２の偏向ミラー１２により９０°偏向されたレーザ光は回転している回転プリズム１３に照射される。回転している回転プリズム１３に照射されたレーザ光は図３に示す走査方向に走査される。
【００６２】
次に制御回路２からのパルス信号により、副走査モータ１６が回転し、光学系８がシャフト１８に支持された状態で、図２に示す副走査方向に移動する。光学系８が副走査方向に移動することにより、レーザ光が感光フィルム１９上に照射され、このレーザ光により受信したイメージデータを感光フィルム１９上に記録する。
【００６３】
感光フィルム１９へのデータ記録完了後、制御回路２からモータドライバ回路２０に図３に示す排出モータ２５と吸入モータ２１の回転指示信号が転送される。モータドライバ回路２０は制御回路２からの信号により、排出モータ２５と吸入モータ２１に回転パルス信号を転送する。このパルス信号を受けて排出モータ２５と吸入モータ２１が一定速度で回転する。排出モータ２５及び吸入モータ２１が回転することによりそれぞれに連結されている排出ローラ２６と吸入ローラ２２が回転する。排出ローラ２６と吸入ローラ２２が回転することにより、感光フィルム１９は図３に示すカッタ２８の位置に搬送される。
【００６４】
次にカッタ２８にて感光フィルム１９は切断され、受信イメージデータを記録した部分の感光フィルム１９だけが外部に排出される。
【００６５】
これにより感光フィルム１９への受信イメージデータの記録動作が完了する。
【００６６】
以上説明したように、本発明は、ドラム面上に記録媒体の先端を検出するスイッチを２つ設置し、これらのスイッチからの先端検出信号により吸入モータが要した回転パルス量を算出し、その算出値が装置規格範囲にあるかどうかを判断し、その結果から吸入ローラの摩耗とドラム面上のゴミや異物付着による搬送動作不良を早期に発見し、外部に異常通報するものである。
【００６７】
次に、本発明の他の実施の形態について、図４を用いて説明する。
【００６８】
図４に示すように、図３の第１、第２の先端検出スイッチ２９、３０の代わりにドラム１７内に溝３３を設け、その溝内を移動するローラ３２を設置する。又、ローラ３２にはコマ３１が連結されている。
【００６９】
感光フィルム１９が吸入モータ２１及び吸入ローラ２２の回転により、マガジン２４からドラム１７内に搬送される際、感光フィルム１９の先端がコマ３１に当たり、コマ３１が感光フィルム１９の先端に押されて一緒に移動する。
【００７０】
コマ３１が移動する際、コマ３１に連結されているローラ３２が回転し、溝３３上をコマ３１と同じ移動量だけ回転移動する。
【００７１】
ローラ３２の回転量から感光フィルム１９の先端の位置を検出し、吸入モータ２１の回転パルス量と本算出値から感光フィルム１９の搬送量にばらつき等がないことを検出する。
【００７２】
感光フィルム１９の先端が搬送された位置を検出した後、ドラム１７面上のゴミや異物の付着状況及び吸入ローラ２２の摩耗状態を判断する工程は前記実施の形態の動作で説明した内容と同様である。
【００７３】
【発明の効果】
以上説明したように、本発明の第１の効果は、搬送ローラの摩耗又はドラム面上へのゴミや異物付着により、受信データの記録品質が低下した場合の記録媒体の使用量節減である。
【００７４】
ゴム製ローラを用いて記録媒体を搬送させる装置において、ゴムの摩耗による搬送不良の発生は避けられないものである。ゴムが摩耗してくると記録媒体の搬送量ばらつきや斜行搬送等が発生し、記録品質が低下する。従来技術では、ゴムの摩耗を装置内部で検知していなかった為、人為的に記録品質の低下を確認しなければ、吸入ローラの摩耗や寿命が確認できなかった。人為的に確認できるレベルの記録品質低下が発生した場合は、その記録媒体は業務上では使用できない為、廃棄するしかない。
【００７５】
本発明は、装置内部で吸入モータの回転パルス量を常に監視し、記録品質が低下する前段階で外部にローラ表面の摩耗異常を通報する。これにより、記録品質が低下する前に吸入ローラの予防交換が可能となり、記録品質が低下し、業務上使用できない記録媒体の使用量節減を図ることができる。
【００７６】
また、ドラム面上にゴミや異物が付着することでも記録媒体の搬送量はばらつき、記録品質は低下する。従来技術では、記録媒体が規定時間内に記録開始位置まで搬送されない場合にタイムアウトと判断し、紙詰まりという形式で外部に通報を行っているのみである。
【００７７】
本発明は、紙詰まりや搬送量ばらつきがドラム面上へのゴミや異物付着によるものである旨の外部通報を行い、記録品質が低下する前段階でゴミや異物の除去を可能とする。これにより、記録品質が低下し、業務上使用できない記録媒体の使用量節減を図ることができる。
【００７８】
第２の効果は、記録媒体の先端検出可能領域の拡大である。
【００７９】
従来の技術では、一度、感材を先端検出センサの位置よりも奥側まで一気に搬送させる。その後、規定時間分だけ記録媒体の先端を後退させ、更にその位置から記録媒体を規定量だけ低速で前進させる間にセンサでその先端検出を行う方式を用いている。この場合、吸入ローラの摩耗やドラム面上へのゴミや異物の付着により多少の搬送量ばらつきがある場合、検出可能領域で記録媒体の先端が検出できなければ、その時点でアラームを発生させ、それ以降のデータの記録動作は停止する。
【００８０】
本発明は、マガジンから記録媒体をドラム面上の記録開始位置まで搬送させる際、搬送の途中過程において記録媒体の先端検出をスイッチにて行うことにより、吸入ローラの摩耗やドラム面上のゴミ、異物の付着状況を把握することで搬送量を制御し、最終的に記録開始位置まで記録媒体の先端を搬送させ、センサによりその先端検出を行う。
【００８１】
上述のように、先端検出を搬送過程で複数回検出することにより、従来技術では記録媒体の先端を検出できなかった領域でも確実にその先端検出を可能し、アラームによるデータ記録動作停止状態の発生を軽減することができる。
【図面の簡単な説明】
【図１】本発明の一実施の形態の構成を示すブロック図である。
【図２】この実施の形態の構造を示す側面図である。
【図３】この実施の形態の構造を示す正面図である。
【図４】本発明の他の実施の形態の構造を示す正面図である。
【図５】従来例の構造を示す正面図である。
【符号の説明】
１    データ受信部
２    制御回路
３    データ記録部
４    モニタ
５    積算回路
６    搬送量データ蓄積部
７    判断回路
８    光学系
９    ＬＤ光源
１０    集光レンズ
１１    第１の偏向ミラー
１２    第２の偏向ミラー
１３    回転プリズム
１４    主走査モータ
１５    光学系制御回路
１６    副走査モータ
１７    ドラム
１８    シャフト
１９    感光フィルム
２０    モータドライバ回路
２１    吸入モータ
２２    吸入ローラ
２３    始端検出スイッチ
２４    マガジン
２５    排出モータ
２６    排出ローラ
２７    先端検出センサ
２８    カッタ
２９    第１の先端検出スイッチ
３０    第２の先端検出スイッチ
３１    コマ
３２    ローラ
３３    溝
【図１】
0003761449.tif 000002
【図２】
0003761449.tif 000003
【図３】
0003761449.tif 000004
【図４】
0003761449.tif 000005
【図５】
0003761449.tif 000006